(57)【要約】  細長い浮力タワーを含む洋上風力発電機であって、使用時にタワーの下端から水位線の上まで延在する内側引込管、上側接続アセンブリ及び下側接続アセンブリを含む接続構成を有する、洋上風力発電機。中間のテンションレグ／トーションレグが上側接続アセンブリと下側接続アセンブリとの間に配置される。接続アセンブリは引込管内で昇降するように構成されている。
2014504697.tif 000002
【特許請求の範囲】
【請求項１】
細長い浮力タワーを含む洋上風力発電機であって、使用時に前記タワーの下端から水位線の上まで延在する内側引込管、上側接続アセンブリ及び下側接続アセンブリを含む接続構成、前記上側接続アセンブリと前記下側接続アセンブリとの間に配置される中間のテンションレグ／トーションレグを有し；前記接続アセンブリは前記引込管内で昇降するように構成されている、洋上風力発電機。
【請求項２】
ウィンチが、前記接続アセンブリを昇降させるように前記タワー内に位置決めされる、請求項１に記載の洋上風力発電機。
【請求項３】
前記細長い浮力タワーは実質的に円筒形である、請求項１に記載の洋上風力発電機。
【請求項４】
前記下側接続アセンブリは自在継手及びアンカーコネクターを含む、請求項１に記載の洋上風力発電機。
【請求項５】
前記アンカーコネクターを受け入れるカップリングを有するアンカーを備える、請求項４に記載の洋上風力発電機。
【請求項６】
前記上側接続アセンブリは偏揺れ構成を有する、請求項１に記載の洋上風力発電機。
【請求項７】
前記上側接続アセンブリは自在継手も含む、請求項６に記載の洋上風力発電機。
【請求項８】
前記接続構成は、該接続構成の水中の重量をほとんど中和するように十分な浮力を有するため、設置及びメンテナンス時には小型のウィンチしか必要とされない、請求項１に記載の洋上風力発電機。
【請求項９】
前記アンカーは、前記風力発電機の輸送及び設置時には前記接続アセンブリに接続される、請求項５に記載の洋上風力発電機。
【請求項１０】
前記アンカーは、ロックピンによって前記風力発電機のタワーの下端に取着される、請求項９に記載の洋上風力発電機。
【請求項１１】
前記中間のテンションレグは、空気、発泡体又はガスで充填される浮力室の形態の、より大きい直径の細長部分を有する、請求項１に記載の洋上風力発電機。
【請求項１２】
前記偏揺れ構成は、前記タワー又は前記引込パイプの下端に取り付けられる、請求項６に記載の洋上風力発電機。
【請求項１３】
前記偏揺れ構成は、前記引込パイプの上端に取り付けられる、請求項６に記載の洋上風力発電機。
【請求項１４】
細長い浮力タワー、自在継手及び偏揺れアセンブリを含む接続アセンブリを含む洋上風力発電機であって、前記自在継手及び前記偏揺れアセンブリは、ロッカーアーム、及び該ロッカーアームに接続されるリング状部材を含む、洋上風力発電機。
【請求項１５】
前記リング状部材は、楔形の滑り軸受に対して回転可能に着座するように構成されている、傾いた下側外周面を有する、請求項１４に記載の洋上風力発電機。
【請求項１６】
前記滑り軸受がその下端に位置付けられる引込管を含む、請求項１４に記載の洋上風力発電機。
【請求項１７】
前記楔形の軸受の２つの反対側の面が、垂直面に対して異なる角度を有し、内側に面する面が、垂直線から、反対側の面よりも大きい傾斜度を有する、請求項１４に記載の洋上風力発電機。
【請求項１８】
ケーブル導管が、前記リング状要素と前記自在継手との間のスペース内に配置される、請求項１４に記載の洋上風力発電機。
【請求項１９】
電気ケーブルが、前記引込管の上端においてスイベル及び電気的なスリップリング接続部に接続される、請求項１に記載の洋上風力発電機。
【請求項２０】
固体バラスト、又は固体及び水のバラストの組み合わせを含む、請求項１に記載の洋上風力発電機。
【請求項２１】
前記タワーの下部にバラスト室を含む、請求項２０に記載の洋上風力発電機。
【請求項２２】
前記バラスト室の上で前記引込管の下部を閉塞する取り外し可能な閉塞物が配置され、該閉塞物の上の前記引込管の壁に１つ又は複数の開口が配置される、請求項２１に記載の洋上風力発電機。
【請求項２３】
前記取り外し可能な閉塞物は傾斜上面を有する、請求項２２に記載の洋上風力発電機。
【請求項２４】
請求項１に記載の洋上風力発電機を取り付ける方法であって、
前記タワーの下端に固体バラストを配置するとともに、前記タワーの水平な曳航時に該タワーの上側の高さ位置に水バラストを配置すること、
前記水バラストを前記タワーの下側の高さ位置に移すことによって前記タワーを直立させること、
を含む、洋上風力発電機を取り付ける方法。
【請求項２５】
前記バラスト室の上で前記引込管の下部を閉塞する取り外し可能な閉塞物が配置され、該閉塞物の上の前記引込管の壁に１つ又は複数の開口が配置される、請求項２４に記載の方法。
【請求項２６】
前記固体バラスト室を充填した後で、前記閉塞物を取り外し、いかなる残留物も前記引込管の底部を通って落下するようにする、請求項２５に記載の方法。
【請求項２７】
砂、セメント等の前記固体バラストは、前記タワーが垂直な向きにある間に、前記引込管内に注ぎ込まれることによって前記タワー内に配置され、該タワーの底部に向かって落下することが可能になる、請求項２４〜２６のいずれか一項に記載の方法。
【請求項２８】
細長い浮力タワー（１）、及び該タワーの上部に取り付けられる風力タービン（２）を含む洋上風力発電機であって、前記タービンの取着点に隣接する前記タワーの上端は、該タワーの垂直軸から或る角度だけオフセットされる、洋上風力発電機。
【請求項２９】
使用時に前記タワーの下端から水位線の上まで延在する内側引込管、該引込管内に移動可能に配置される接続構成であって、前記引込管の下端に回転可能に着座するように構成されている上側接続アセンブリ、下側接続アセンブリ、前記上側接続アセンブリと前記下側接続アセンブリとの間に配置される中間のテンションレグ／トーションレグを含む接続構成、及び該接続アセンブリを前記引込管内で昇降させるように前記タワー内に位置決めされるウィンチを含む、請求項２８に記載の洋上風力発電機。
【請求項３０】
細長い浮力タワーを含む洋上風力発電機であって、自在継手を含む接続アセンブリ、及び該風力発電機の輸送及び設置時に前記接続アセンブリに接続されるアンカーを有する、洋上風力発電機。
【発明の詳細な説明】
【技術分野】
【０００１】
本発明は風力発電機に関し、より詳細には、浮体式洋上風力発電機に関する。
【背景技術】
【０００２】
好ましくは電力の形態で動力を発生させる風力発電機の開発は、より大型の風力タービンの方向に着実に移行している。約５ＭＷの出力及び１１５ｍ〜１２５ｍよりも大きいローター径を有する風力発電機が、現在、設計及び建設されている。５ＭＷ以上もの風力発電機は、種々の技術的、物流面の、及び美的な検討事項に起因して、主に洋上に設置されることを目的として設計されている。
【０００３】
洋上風力発電機は、概して、固定設置式であるか又は浮体式である。浮体式の風力発電機は、設置、操作及びメンテナンスに関して数多くの技術的課題を呈する。そのような風力発電機は、本質的に大型の構成であり、多くの場合に、海面下に非常に深くまで延在する。風力発電機が建設されるエリアは、意図される設置場所よりもはるかに浅い場合がある。その結果、多くの場合に風力発電機をその目的地まで水平に曳航し、風力発電機を直立させて海底に固定する必要があり、これらの各段階で、一部には風力発電機のせん断サイズに起因してそれ自身の技術的な問題点を呈する。
【０００４】
風力タービンを浮体式にするためにアンカー（複数の場合もあり）を予め据え付ける必要もある。
【０００５】
そのような課題に対する適切な統合された解決策は現在のところ分かっていない。
【０００６】
加えて、浮体式風力発電機は、一旦設置されると、強い風を受け、これによって風力発電機タワーの縦揺れ及び偏揺れの双方が生じる。そのような力は、タワー自体に歪みを生じさせ、また、電気ケーブル、アンカー取付具等の構成部材を場合によっては故障させる。これらの力は、実際にはタービン自体の回転によって生じるトルクによって増幅される可能性がある。既知の浮体式風力発電機には、縦揺れ及び偏揺れを十分に相殺する適切な構成を提供するものがない。
【０００７】
洋上風力発電機は、一旦設置されると、タービン及びブレード等の水上の構成部材、アンカー構成等の水中の構成部材、及び縦揺れ／横揺れ相殺要素、並びに電気接続部、電動構成部材、回転促進要素等の内部構成部材等の定期的なメンテナンスを必要とする。そのようなメンテナンス作業を容易にする、洋上風力発電機の構成が必要とされている。
【発明の概要】
【発明が解決しようとする課題】
【０００８】
本発明の目的は、上述した欠点及び従来技術に存在する必要性に対する解決策を提供することである。
【課題を解決するための手段】
【０００９】
本発明の１つの態様によると、細長い浮力タワーを含む洋上風力発電機であって、使用時にタワーの下端から水位線の上まで延在する内側引込管、上側接続アセンブリ及び下側接続アセンブリを含む接続構成、上側接続アセンブリと下側接続アセンブリとの間に配置される中間のテンションレグ／トーションレグを有し；接続アセンブリは引込管内で昇降するように構成されている、洋上風力発電機が提供される。
【００１０】
本発明の別の態様によると、細長く、好ましくは実質的に円筒形の浮力タワーを含む洋上風力発電機であって、使用時にタワーの下端から水位線の上まで延在する内側引込管、引込管内に移動可能に配置される接続構成であって、自在継手及び偏揺れアセンブリを含み、引込管の下端に回転可能に着座するように構成されている上側接続アセンブリ、自在継手及びアンカーコネクターを含む下側接続アセンブリ、上側接続アセンブリと下側接続アセンブリとの間に配置されるテンションレグ／トーションレグ、アンカーコネクターを受け入れるカップリングを有するアンカー、並びに、接続アセンブリを引込管内で昇降させるようにタワー内に位置決めされるウィンチを有する、洋上風力発電機が提供される。この構成は、設置時には所定の位置に下降させ、例えばメンテナンスのために後で上昇させることができる。接続構成には、接続構成の水中の重量をほとんど中和するように十分な浮力を与えることができるため、設置及びメンテナンス時には小型のウィンチしか必要とされない。
【００１１】
本発明の別の態様によると、アンカーはサクションアンカーであり、風力発電機の輸送及び設置時には接続アセンブリに接続される。アンカーは、油圧作動されるロックピンによって風力発電機のタワーの下端に取着される。
【００１２】
本発明の別の態様によると、上側接続アセンブリの自在継手及び偏揺れアセンブリは、自在継手のロッカーアームに接続されるリング状部材を含む。リング状部材は、傾いた下側外周面を有する。傾いた面は、引込管の下端に位置する楔形の滑り軸受に対して回転可能に着座するように構成されている。楔形部材の２つの反対側の面は異なる角度を有する。内側に面する面（リング状要素の傾いた面が当接して摺動する面）は、垂直線から、反対側の面（引込管の内側に対して当接する面）よりも大きい傾斜度を有する。この角度の差によって、リング状要素が楔形部材に対して当接して摺動することを可能にしながらも、楔形部材が定位置で引込管に対してしっかりと押圧されることが確実になる。リテーナーリングが、楔形の滑り軸受が修理／交換のために自在継手及び偏揺れアセンブリとともに水面まで引き返されることができることを確実にする。反作用トルクが、テンションレグ／トーションレグによって、固定されているアンカーを介して海底まで伝わる。この構成の結果として受動的な「クラッチ」が生じ、保持トルクは、タワーの正味浮力（設置されたときの揚圧力）、摺動面の摩擦係数、楔形部材の内面の垂直線に対する角度及びリング状要素の半径の関数である。偏揺れ構成は、好ましくはタワー又は引込パイプの下端に取り付けられるが、偏揺れアセンブリを、引込パイプの上端で空中に取り付けることも考えられる。この場合、テンションレグは引込パイプの内部に延在しなければならず、依然としてタワーの下端に位置決めされなければならない上側自在継手は、偏揺れシステムからは分離される。ケーブル導管が、リング状要素と自在継手との間のスペース内に配置される。タービンからのねじれ剛性電気ケーブルが、これらの導管を通って引込管を下り、タワーの底部から出る。引込管の上端では、電気ケーブルがスイベル及び電気的なスリップリング接続部に接続される。それによって、タワー全体が回転（偏揺れ）することが可能となるが、上側接続アセンブリ、テンションレグ、アンカー及び引込管内の電気ケーブルは海底に対して静止したままである。
【００１３】
本発明の別の態様によると、中間のテンションレグは、空気、発泡体又はガスで充填される浮力室の形態の、より大きい直径の細長部分を有する。
【００１４】
本発明の別の態様によると、風力発電機のタワーは、固体のバラスト、又は固体及び水のバラストの組み合わせを有する。１つの実施形態では、固体のバラストはタワーの下端に配置され、水のバラストは、タワーの水平な曳航時にタワーの上側の高さ位置に配置される。タワーは、水のバラストをタワーの下側の高さ位置に移すことによって直立される。本発明の別の態様によると、砂、セメント等の固体のバラストは、タワーが垂直の向きにある間にタワーに加えることができる。この態様によると、バラストは引込管内に注ぎ込まれ、タワーの底部に向かって落下することが可能となる。プラグ、トラップドア又は他の一時的な閉塞物が引込管の下部を閉塞する。閉塞物の真上の引込管の壁には、バラスト室につながる１つ又は複数の開口が配置される。固体のバラストはこのように引込管の下部まで落下し、一時的な閉塞物に遭遇し、バラスト室内に導かれる。閉塞物は、有利には壁の開口に向かって傾いているものとすることができる。バラストが充填された後で、閉塞物を取り外し引込管の通常の機能を回復することができる。
【００１５】
本発明のまた別の態様によると、タービンの取着点に直接隣接するタワーの上端は、タワーの垂直軸から或る角度だけオフセットされる。このオフセットは、タービンブレードの回転によって生じる偏揺れ力を相殺するように構成される。そのような偏揺れ力は、トルクをローターから伝達するタービンシャフトの軸及びタワーの軸が垂直ではないことに起因する。この角度は、典型的には、垂直である状態からおよそ４度〜６度である。この効果は、シャフトのトルクの幾らかが、タワーの長手方向軸の周りのトルク成分（又は偏揺れモーメント）としてタワーの上部に伝達されることである。この偏揺れモーメントを相殺するには、ローターをタワーの軸外に配置し、それによって、レバーアームによって増加する、ローターに作用する推進力（軸外距離）が、シャフトのトルクからの偏揺れモーメント成分を完全に又は部分的に相殺する偏揺れモーメントを生じる。この効果は、シャフトのトルクによって生じる偏揺れモーメントが、完全に又は部分的に打ち消され、タワーの底部における偏揺れクラッチの保持トルクを、より小さい直径によって生み出すことができることである。このことは、引込パイプを、設置及びメンテナンス目的での接続構成の巻き上げ中にクラッチを収容するようにより小さい直径で作ることができるという効果も有する。
【図面の簡単な説明】
【００１６】
【図１】浮体式洋上風力発電機の一実施形態の斜視図である。
【図２】図１の実施形態と同様であるがオフセットされた上端を有する浮体式洋上風力発電機の一実施形態の正面図である。
【図３】引込管内部のその予備設置位置にある移動可能な接続構成を示す、風力発電機のタワーセクションの側断面図である。
【図４】移動可能な接続構成が中間位置にある状態の、タワーの側面図である。
【図５】移動可能な接続構成が下降位置にある状態の、タワーの側面図である。
【図６】移動可能な接続構成が水位線の上の上昇位置にある状態の、タワーの側断面図である。
【図７】偏揺れアセンブリ及びアンカーロックピンも示す、テンションレグの浮力室の断面図である。
【図８】バラストコンパートメントを示す風力発電機の図である。
【図９】バラストコンパートメントを示す風力発電機タワーの断面図である。
【図１０】本発明の１つの実施形態による上側接続アセンブリの断面詳細図である。
【図１１】偏揺れアセンブリの分解図である。
【図１２】偏揺れアセンブリの滑り軸受構成の詳細な断面図である。
【図１３ａ】タワーの下端の代替的な実施形態の図である。
【図１３ｂ】タワーの下端の代替的な実施形態の図である。
【図１４】タワーの下端の代替的な実施形態において採用される偏揺れアセンブリの図である。
【図１５ａ】上側自在継手の詳細図である。
【図１５ｂ】上側自在継手の詳細図である。
【図１５ｃ】上側自在継手の詳細図である。
【図１６】上側接続アセンブリの断面図である。
【図１７ａ】ケーブル支持フレームの図である。
【図１７ｂ】ケーブル支持フレームの図である。
【図１８ａ】摩擦リングの図である。
【図１８ｂ】摩擦リングの図である。
【図１９ａ】上側自在継手の詳細図である。
【図１９ｂ】上側自在継手の詳細図である。
【図２０ａ】タワーの底部に取着されるアンカーの側面図である。
【図２０ｂ】ロックピンの孔を有する延長部を示すアンカーの側面図である。
【図２１】ケーブル接続構成を示す図である。
【図２２】ケーブル接続構成を示す図である。
【図２３】ケーブル接続構成を示す図である。
【図２４】タワーの上端のオフセット角度を示す図である。
【発明を実施するための形態】
【００１７】
ここで、本発明の好ましい実施形態を、図面を参照して説明する。
【００１８】
好ましい実施形態によると、本発明は、９０メートルが海面の上に起立し、９６メートルが海中に沈む、１８６メートルの浮体式タワー１を含む洋上浮体式風力発電機である。風力タービン２が浮体式タワーの頂部に取り付けられている。浮体式タワー１は、図１及び図２に示されているように、テンションレグ３及びアンカー、好ましくはサクションアンカー４によって海底に固定されている。テンションレグは、ねじりモーメント（トルク）に抗するようにも構成され、中空パイプの形態を有する。上側自在継手６及び偏揺れアセンブリ７を含む上側接続アセンブリ５が、テンションレグ３の上端に配置され、下側自在継手８が、テンションレグ３の下端の、アンカー４との接続点に配置される。図１は、風方向、並びに風によって生じる力下でのタワーの構造強度を提供するスプレッダービーム及びテンションケーブルを有する構成を更に示している。
【００１９】
図３〜図６に示されているように、本発明の１つの態様は移動可能な接続アセンブリ９を含む。移動可能な接続アセンブリ９は、上側接続アセンブリ５、テンションレグ３、及びタワー１の中空内部に軸方向に配置される引込管又はパイプ１０内に移動可能に配置されているアンカー４を含む。タワー内に位置決めされているウィンチ１１を用いて、引込管内で移動可能な接続アセンブリ９を昇降させる。図３に示されているように、移動可能な接続アセンブリ９は、風力発電機を設置する前に上昇位置に最初に位置付けることができる。ウィンチは、図４に示されているように移動可能な接続アセンブリ９を下降させ、図５に示されているようにアンカーを海底に固定するのに用いられる。その後、必要であれば、テンションレグを、アンカー、及び図６に示されているように上昇している移動可能な接続アセンブリの残りの構成部材から分離し、例えば、偏揺れアセンブリを水位線の上でメンテナンスすることを可能にすることができる。本発明の１つの態様によると、テンションレグ３には、空気を充填することができる増大した直径の中空セクションの形態の浮力室１２が設けられる。浮力室は、移動可能な接続アセンブリの有効重量を低減し、本来の場合よりも小型のウィンチの使用を可能にする。
【００２０】
本発明の１つの態様によると、風力発電機を洋上の場所に設置するシステム及び手段が提供される。幾つかの場合、風力発電機を、水深がタワーの長さよりも浅い場所に建設する必要があり得る。そのような場合、風力発電機は、有利には、その最終目的地まで水平に又はほぼ水平に曳航され、次いで垂直に直立され、海底に固定される。本発明の１つの態様によると、タワーには液体及び固体双方のバラストが提供される。図８及び図９に示されているように、タワーは、水のバラスト用の上側バラストコンパートメント１３を備え、代替的には、この上側のバラスティングは、一時的な内部又は外部のバラスティングによって達成することができる。好ましい実施形態によると、上側水バラストコンパートメント１３は、タワーの一方の側に位置付けることができる。他の態様の中でも、このことによって、曳航作業中に、タワーに水面上での安定性が与えられる。タワーは、バラスト水パイプ１５及びポンプ（図示せず）を介して上側バラストコンパートメント１３に接続される下側水バラストコンパートメント１４を更に備える。直立作業時に、水バラストは上側コンパートメントから下側コンパートメントに移される。タワーを陸に戻す必要がある場合、その作業を逆に行うことができる。
【００２１】
タワーは、タワーの下端の固体バラストコンパートメント１６内に位置する砂、砂利、石、セメント、鋼スクラップ等の形態の固体バラストを更に含む。固体バラストコンパートメント１６は、タワーの外側壁と引込管１０の壁との間に環状に位置付けられる。本発明の１つの態様によると、タワーが垂直な向きにある間にそのような固体バラストを充填する手段が提供される。本発明のこの態様によると、固体バラストコンパートメントにつながる引込管の壁に開口が設けられる。図８において分かるような取り外し可能なプラグ１７又は他の取り外し可能な障害物／閉塞物を用いて、引込管を、固体バラスト室につながる開口の真下で閉塞する。次に、固体バラストが引込管の下まで注ぎ込まれることができ、固体バラスト室に入る。プラグ又は障害物は、有利には傾斜面を有し、固体バラストを室内により効果的に導くことができる。固体バラスト室が充填された後で、プラグを取り外すことができ、いかなる残留物も引込管の底部を通って落下する。
【００２２】
本発明のまた別の態様によると、上側接続アセンブリ５は、タワーが振動するとともにその軸を中心に回転することを可能にする偏揺れアセンブリ７、及び上側自在継手６を含む。偏揺れアセンブリは、風力発電機タワーの２つの異なる実施形態；平坦な下端を有する第１の好ましい実施形態、及び図１３ａに示されているような円錐状の下端を有するタワーの実施形態に関して説明され、場合によっては、構成部材が、図１４〜図１９に更に示されている双方の実施形態に共通である。偏揺れアセンブリ７は、浮力荷重及び摩擦トルクを、円錐及び自在継手の組み合わせを通してテンションレグに伝達する。偏揺れシステムは、電力ケーブルを受け入れるように貫通部及びベルマウスも含む。
【００２３】
図面に示されているように、上側自在継手６は、ヨーク１８によってテンションレグ３に取着される。上側自在継手６は、第１の軸１９及び第２の軸２０を有する。自在継手の第１の軸１９は、環状支持リング２１に接続される。環状支持リング２１は、下側の角度が付いた支承面２２を有する。支承面の角度は１００度〜１２０度である。本発明の１つの態様によると、角度は１１０度である。支承キャップ２３が第１の軸を環状支持リングに固定する。環状支持リング２１の角度が付いた支承面２２は、滑り軸受として機能する摩擦リング２４に対して摺動するように構成されている。摩擦リング２４は、図１９に示されているように楔形の断面を有する。摩擦リングは、偏揺れシステム全体が引込パイプ内で水面まで引き上げられると回収されることができるようにリテーナーリングとともに設計されている。
【００２４】
本発明の１つの態様によると、摩擦リング２４の前面及び後面の角度は、所定の偏揺れ摩擦が得られるように選択される。楔形の摩擦リングの２つの反対側の面は異なる角度を有する。内側に面する面（リング状要素の傾いた面が当接して摺動する面）は、垂直線から、反対側の面（引込管又は偏揺れシステムのレセプタクルの内側に対して当接する面）よりも大きい傾斜度を有する。この角度の差によって、リング状要素が楔形部材に対して当接して摺動することを可能にしながらも、楔形部材が定位置で引込管に対してしっかりと押圧されることが確実になる。反作用トルクが、テンションレグ／トーションレグによって、固定されているアンカーを介して海底まで伝わる。この構成の結果として受動的な「クラッチ」が生じ、保持トルクは、タワーの正味浮力（設置されたときの揚圧力）、摺動面の摩擦係数、楔形部材の内面の垂直線に対する角度及びリング状要素の半径の関数である。
【００２５】
摩擦リングは、１つの実施形態によると、図１２に示されているように引込管１０の下端に配置されるか、又は代替的には、図１３ａに示されているような別の実施形態によると、タワーの下端に接続される偏揺れシステムレセプタクル２６内に配置される。上側自在継手は、摩擦スリーブ２７、ブシュ２８及び場合によっては犠牲アノード２９、並びに軸止め板３２を更に備える。
【００２６】
上側接続アセンブリは、１つ又は複数の電力ケーブルを受け入れるベルマウス３１を含む、図１４及び図１７に示されているような電力ケーブル支持フレーム３０を更に備える。
【００２７】
本発明の別の態様によると、アンカーは、例えば風力発電機をその意図する場所へ輸送するときには、タワーに着脱可能に取着される。図２０に示されているように、この態様によるアンカーは、タワーの下端と同様の直径を有して構成されている。アンカーの上端には取着リング３４が備え付けられている。タワー内部には、取着リングに係合する、油圧作動されるロックピン３５が取り付けられる。ピンはしたがって、アンカーを定位置に下降させることを可能にするように引き抜くことができる。
【００２８】
図２３に示されているような本発明のまた別の態様によると、タワーがその軸を中心に回転／偏揺れすることを可能にしながらもケーブルが海底に対して静止したままであることを可能にするケーブル接続構成が提供される。（図２１及び図２２は、輸送時／設置時のような上昇位置にある偏揺れアセンブリを示していることに留意されたい。）ケーブル（複数の場合もあり）３８は、偏揺れアセンブリに入るクラスターで海底から伸び、電気的なスリップリングアセンブリ４０において終端し、したがって海底に対して静止している。電気的なスリップリングアセンブリは、回転するタワーに対して静止している接続箱３９を通して回転するタワーに電気接続を移す。発電機に向かうケーブル接続部は、タワーの上端のデッキ３７に取着されているケーブル吊り下げ部材３６を通って進む。
【００２９】
図２４に示されているような本発明のまた別の態様によると、タービンの取着点に直接隣接するタワーの上側セグメント４１が、タワーの垂直軸から或る角度だけオフセットされる。このオフセットは、タービンブレードの回転によって生じる偏揺れ力を相殺するように構成されている。そのような偏揺れ力は、トルクをローターから伝達するタービンシャフトの軸及びタワーの軸が垂直ではないことに起因する。この角度は、典型的には、垂直である状態からおよそ４度〜６度である。この効果は、シャフトのトルクの幾らかが、タワーの長手方向軸の周りのトルク成分（又は偏揺れモーメント）としてタワーの上部に伝達されることである。この偏揺れモーメントを相殺するには、ローターをタワーの軸外に配置し、それによって、レバーアームによって増加する、ローターに作用する推進力（軸外距離）が、シャフトのトルクからの偏揺れモーメント成分を完全に又は部分的に相殺する偏揺れモーメントを生じる。この効果は、シャフトのトルクによって生じる偏揺れモーメントが、完全に又は部分的に打ち消され、タワーの底部における偏揺れクラッチの保持トルクを、より小さい直径によって生み出すことができることである。このことは、引込パイプを、設置及びメンテナンス目的での接続構成の巻き上げ中にクラッチを収容するようにより小さい直径で作ることができるという効果も有する。
【図１】
2014504697.tif 000003
【図２】
2014504697.tif 000004
【図３】
2014504697.tif 000005
【図４】
2014504697.tif 000006
【図５】
2014504697.tif 000007
【図６】
2014504697.tif 000008
【図７】
2014504697.tif 000009
【図８】
2014504697.tif 000010
【図９】
2014504697.tif 000011
【図１０】
2014504697.tif 000012
【図１１】
2014504697.tif 000013
【図１２】
2014504697.tif 000014
【図１３ａ】
2014504697.tif 000015
【図１３ｂ】
2014504697.tif 000016
【図１４】
2014504697.tif 000017
【図１５ａ】
2014504697.tif 000018
【図１５ｂ】
2014504697.tif 000019
【図１５ｃ】
2014504697.tif 000020
【図１６】
2014504697.tif 000021
【図１７ａ】
2014504697.tif 000022
【図１７ｂ】
2014504697.tif 000023
【図１８ａ】
2014504697.tif 000024
【図１８ｂ】
2014504697.tif 000025
【図１９ａ】
2014504697.tif 000026
【図１９ｂ】
2014504697.tif 000027
【図２０ａ】
2014504697.tif 000028
【図２０ｂ】
2014504697.tif 000029
【図２１】
2014504697.tif 000030
【図２２】
2014504697.tif 000031
【図２３】
2014504697.tif 000032
【図２４】
2014504697.tif 000033
【国際調査報告】
2014504697.tif 000034
2014504697.tif 000035
2014504697.tif 000036
2014504697.tif 000037
2014504697.tif 000038